(57)【要約】【課題】扉体としての見栄えを向上させつつ、室内外に消臭効果や芳香効果、吸湿効果等を及ぼすことが可能な扉体を提供する。【解決手段】開閉可能に設けられた扉体であって、板厚内において外部から視認不能な収容空間内に収容され、特定の成分を吸収又は発散する薬剤と、扉体の一部に設けられ、収容空間と連通する通気孔を有する意匠部材とを備えた構成とした。【選択図】図１
2016176189.tif 000002
【特許請求の範囲】
【請求項１】
開閉可能に設けられた扉体であって、
板厚内において外部から視認不能な収容空間内に収容され、特定の成分を吸収又は発散する薬剤と、
前記扉体の一部に設けられ、前記収容空間と連通する通気孔を有する意匠部材と、
を備えたことを特徴とする扉体。
【請求項２】
前記意匠部材は、前記扉体の板面に対して着脱可能とされたことを特徴とする請求項１記載の扉体。
【請求項３】
前記薬剤が前記意匠部材内に格納された状態で前記収容空間内に収容されたことを特徴とする請求項１又は請求項２記載の扉体。
【請求項４】
前記薬剤が前記扉体の周面に対して着脱可能とされた収容ケース内に格納された状態で前記収容空間内に収容されたことを特徴とする請求項１又は請求項２記載の扉体。
【請求項５】
前記扉体は、前記収容空間と前記意匠部材の内部とに連通する内部通路を有し、当該内部通路、及び前記通気孔を経由して前記特定の成分が吸収又は発散されることを特徴とする請求項４記載の扉体。
【発明の詳細な説明】
【技術分野】
【０００１】
本発明は、扉体に関し、特に内部に薬剤が収容された扉体に関する。
【背景技術】
【０００２】
特許文献１に示すように、家屋の室内や廊下等を仕切る開閉装置として、開閉扉に対して芳香剤が収容されたタンクを取り付け、開閉扉の開閉に対応してタンク内の芳香剤を周囲に噴霧する操作部を扉枠に取り付けた芳香剤噴霧器付きの開閉装置が開示されている。このような開閉装置は、開閉扉の開閉の度に自動的に芳香剤が噴霧されるので、室内に入室する者に対し常にフレッシュな香りを供給することが可能となる。
しかしながら、上記特許文献１に開示されるような開閉装置にあっては、開閉装置の開閉扉や扉枠に対して芳香剤噴霧器を直接取り付ける構成であることから、開閉装置の見栄えを低下させる要因となっていた。
【先行技術文献】
【特許文献】
【０００３】
【特許文献１】特開２００４−２１１４７０号公報
【発明の概要】
【発明が解決しようとする課題】
【０００４】
本発明は、上記課題を解決するため、扉体としての見栄えを向上させつつ、室内外に消臭効果や芳香効果、吸湿効果等を及ぼすことが可能な扉体を提供することを目的とする。
【課題を解決するための手段】
【０００５】
上記課題を解決するため、本発明に係る扉体の構成として、開閉可能に設けられた扉体であって、板厚内において外部から視認不能な収容空間内に収容され、特定の成分を吸収又は発散する薬剤と、扉体の一部に設けられ、収容空間と連通する通気孔を有する意匠部材とを備えた構成とした。
本構成によれば、特定の成分を吸収又は発散する薬剤が板厚内において外部から視認不能な収容空間内に収容されているため、薬剤が視認できることによる扉体の外観変化を回避でき、扉体の見栄えを向上させることができる。また、扉体の一部に設けられ、収容空間と連通する通気孔を有する意匠部材を備えたことにより、扉体の開閉の度に薬剤の効果を扉体の周囲に及ぼすことができるとともに、扉体の見栄えを向上させることができる。
また、他の構成として、意匠部材を扉体の板面に対して着脱可能な構成とした。本構成によれば、意匠部材の内容物や外観を容易に変更することができる。
また、他の構成として、薬剤が意匠部材内に格納された状態で収容空間内に収容された構成とした。本構成によれば、意匠部材の内容物や外観の変更と共に、薬剤の入れ替えを容易に行うことができる。
また、他の構成として、薬剤が扉体の周面に対して着脱可能とされた収容ケース内に格納された状態で収容空間内に収容された構成とした。本構成によれば、薬剤の入れ替えを容易に行うことができる。
また、他の構成として、扉体は、収容空間と意匠部材の内部とに連通する内部通路を有し、当該内部通路、及び通気孔を経由して特定の成分が吸収又は発散される構成とした。
本構成によれば、特定の成分が意匠部材に設けられた通気孔及び内部通路を経由して吸収又は発散されるため、見栄えをより向上させることができる。
上記発明の概要は、本発明の必要な特徴の全てを列挙したものではなく、これらの特徴群のサブコンビネーションもまた、発明となり得る。
【図面の簡単な説明】
【０００６】
【図１】扉体の概略斜視図である。
【図２】開閉扉の部分拡大図である。
【図３】開閉扉の縦断面図である。
【図４】他の実施形態に係る扉体の概略斜視図である（実施形態２）。
【図５】実施形態２に係る意匠部材の縦断面図である。
【図６】実施形態３に係る意匠部材の縦断面図である。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【０００８】
図１は、本発明に係る扉体１０の概略斜視図である。また、図２は、開閉扉３０の上部を拡大して示す斜視図であり、図３は、開閉扉３０の上部を示す縦断面図である。
図１において遮蔽体としての扉体１０は、構造物躯体１１に形成された開口部１２に設置される。構造物躯体１１は、例えば住宅やビル等の構造物の内外を仕切る外壁，内壁等である。開口部１２は、構造物躯体１１に開設され、内外を連通する空間として形成される。
【０００９】
図１に示すように、扉体１０は、開口部１２の周囲を取り囲むように固定された扉枠２０と、扉枠２０に対して丁番２５；２５を介して回転可能に取付けられ、開口部１２を開放または閉鎖する開閉扉３０とを備える。
【００１０】
扉枠２０は、上下方向に沿って延在し、構造物躯体１１に図外のボルト等によって固定される一対の縦枠２１Ａ，２１Ｂと、左右方向に沿って延在し、当該縦枠２１Ａ，２１Ｂの上側端部に固定され、縦枠２１Ａ，２１Ｂ間に架設される上枠２２とを備える。つまり、扉枠２０は、縦枠２１Ａ，２１Ｂ及び上枠２２により、構造物躯体１１に対して開口部１２の周囲を取り囲む略門型状に組み付けられる。
なお、本明細書において「幅方向」とは、扉枠２０の上枠２２の延長方向と同一方向（左右方向）を示し、「奥行方向」とは、幅方向と直交し、開閉扉３０の厚み方向（板厚）を示すものとする。
【００１１】
以下、図１乃至図３を参照しつつ、開閉扉３０の詳細について説明する。なお、以下の説明においては、開閉扉３０の幅方向中心部から縦枠２１Ａ側を吊元側とし、当該吊元側と反対（縦枠２１Ｂ）側を戸先側として説明する。
【００１２】
各図に示すように、開閉扉３０は、扉本体部３１と、意匠部材としての意匠部４０とからなる。
扉本体部３１は、開口部１２の上下方向に沿って延在し、例えば、ステンレス等の金属、木材、或いは樹脂等によって形成される非透明の板体である。扉本体部３１は、一対の縦枠２１Ａ，２１Ｂ間の寸法と略同一の幅方向寸法に設定され、縦枠２１Ａに固定された上下一対の丁番２５；２５を介して、縦枠２１Ａに対して回転可能に取り付けられる。
【００１３】
扉本体部３１の戸先側の側面（縦枠２１Ｂと対向する面）３２の上下方向中央部には、当該側面３２と略面一となる平板状のプレート３３Ａが取り付けられる。プレート３３Ａには、プレート３３Ａから縦枠２１Ｂ側に向かって進退可能なラッチ３３Ｂが設けられる。ラッチ３３Ｂは、当該ラッチ３３Ｂと対応し、縦枠２１Ｂ側に配設される図外のラッチ受けと係合する。また、扉本体部３１の戸先側には、ラッチ３３Ｂとラッチ受けとの係合又は係合解除を行うハンドル３４が扉本体部３１の正面及び背面（外部，内部）に設けられる。
【００１４】
扉本体部３１の戸先側には、収容空間３５が形成される。収容空間３５は、側面３２から吊元側に向かって広がる断面矩形状の空間であって、扉本体部３１の厚み内に形成される。当該収容空間３５内には、後述の芳香剤収容ケース５０が収容可能とされている。収容空間３５内外への芳香剤収容ケース５０の出し入れは、側面３２に臨む収容空間３５の開口部３６を介して自在に行うことができる。収容空間３５の寸法及び形状は、扉本体部３１の厚み内に形成可能であれば、芳香剤収容ケース５０の大きさや形状に合わせて任意に設定可能である。
【００１５】
図２，図３に示すように、扉本体部３１の内部には、収容空間３５と連通する誘導通路３７が形成される。誘導通路３７は、収容空間３５の上部に位置し、収容空間３５と後述する意匠部４０内に形成される中空部４１とをつなぐ内部通路である。誘導通路３７は、収容空間３５にセットされた芳香剤収容ケース５０内の薬剤としての芳香剤５５から発散される香り成分を意匠部４０の中空部４１側へと誘導する。
【００１６】
引き続き、図１乃至図３を参照しつつ、意匠部材としての意匠部４０について説明する。なお、本明細書においては、意匠部材が美観を有するものであることが好ましいが、必ずしも美観を有する必要はない。
各図に示すように、意匠部４０は、扉本体部３１の上面３１Ａに対してボルト等の図外の固定部材を介して固定され、開閉扉３０として扉本体部３１と一体化される。つまり、意匠部４０は、扉体１０の板面に対して着脱可能である。意匠部４０は、矩形状の板材であって、扉本体部３１の幅方向寸法及び奥行方向寸法と同一寸法に設定される。意匠部４０は、例えば、アクリル樹脂やポリカーボネート、或いはガラス等の透明度の高い材料により形成されており、開閉扉３０の正面や背面から内部を視認することができる。
【００１７】
意匠部４０の内部には、中空部４１が形成される。中空部４１は、意匠部４０の厚み内において幅方向に沿って延長する内部空間であり、収容空間３５内に収容された芳香剤５５からの香り成分が誘導通路３７を経由して流入可能な空間として機能する。また、中空部４１内には、幅方向全域にわたって装飾材４４が敷き詰められている。装飾材４４としては、例えば、生花、プリザーブドフラワー、ドライフラワー、造花、或いは花の写真や絵等が好適である。装飾材４４は、透明度の高い意匠部４０が視認されることにより開閉扉３０の意匠性を向上するとともに、外部側から意匠部４０の中空部４１を介して内部側が視認されることを防止する。このように本実施形態に係る意匠部４０は、中空部４１内に装飾材４４が設けられることによって、扉体１０の見栄え，外観を向上することができる。なお、装飾材４４は、上述したような花類等に限定されず、開閉扉３０の意匠性を向上可能であれば、いかなるものであっても良い。
【００１８】
図３に示すように、意匠部４０の下面４０Ａには、誘導通路３７と連通する矩形状の香り取込口４２が開設される。香り取込口４２は、扉本体部３１の誘導通路３７の位置と対応する位置に開設され、誘導通路３７と中空部４１とを接続する開口である。よって、誘導通路３７を経由する芳香剤５５の香り成分は、香り取込口４２より意匠部４０の中空部４１内に流入する。
【００１９】
中空部４１内に流入した芳香剤５５の香り成分は、意匠部４０に形成された通気孔としての香り放出部４３から外部に放出される。香り放出部４３は、意匠部４０の前面４０Ｂ及び背面４０Ｃ又はこれらのうちいずれか一方の面に形成された複数のスリットである。なお、図示は省略しているが、香り放出部４３に対応する位置にも装飾材４４が敷き詰められており、外部からの内部の視認が不可能とされる。
【００２０】
図２に示すように、芳香剤収容ケース５０は、例えば、ステンレス等の金属、陶磁器、又はポリエチレンやアクリル樹脂等の樹脂によって形成される略Ｌ字状の収容体であって、内部に芳香剤５５が収容される。芳香剤収容ケース５０は、矩形状の開口を有し、芳香剤５５の出し入れが可能な開口部５１と、開口部５１側よりも上下方向の寸法が短く設定され、指を引掛けることにより収容空間３５からの取り出しを容易とする指掛け部５２とを有する。なお、芳香剤収容ケース５０や上記意匠部材としての意匠部４０は、上述したプレート３３Ａ、ラッチ３３Ｂ、或いはハンドル３４等の一般的な扉体１０が有する部材と干渉することがない位置に設けられている。
【００２１】
芳香剤５５は、大気中に芳香成分を発散する薬剤であり、芳香剤収容ケース５０に格納される。芳香剤５５としては、例えば、柑橘類の果皮，花等の植物や動物から抽出された天然香料、香料としての機能を発揮する化合物を合成した合成香料の固体、液体、又は液体を紙や布等に含浸させたもの等が用いられ、本実施形態に係る芳香剤５５は、球状のアロマビーズである。なお、芳香剤５５の香り成分としては、装飾材４４と対応させることが好ましい。例えば、装飾材４４がバラの花である場合には、芳香剤５５もバラの花の香り成分にすることが最適である。
【００２２】
次に、芳香剤収容ケース５０のセット手順について説明する。図２に示すように、芳香剤収容ケース５０の収容空間３５へのセットに際しては、適量の芳香剤５５が収容された芳香剤収容ケース５０を、開口部５１が吊元側を向くように把持し、芳香剤収容ケース５０と開口部３６とを位置合わせして収容空間３５内へと押し入れる。これにより、図１に示すように、芳香剤収容ケース５０が収容空間３５内に納まり、開閉扉３０の正面又は背面から芳香剤収容ケース５０の視認が不可能な状態となる。
なお、芳香剤収容ケース５０の出し入れについては、上記セット手順に限定されるものでなく、専門の施工業者や特殊な工具を用いる方法であっても良いが、一般ユーザーが工具等を用いることなく容易に行うことが可能な構成や手順が好適である。
【００２３】
そして、図３に示すように、芳香剤収容ケース５０内の芳香剤５５からの香り成分は、芳香剤収容ケース５０の開口部５１から発散され、誘導通路３７、香り取込口４２を経由して中空部４１に流入し、意匠部４０の前面４０Ｂ及び背面４０Ｃに形成された香り放出部４３から開閉扉３０の外部へと放出され、拡散する。
このように、本実施形態における扉体１０は、香り成分の発生源である芳香剤５５が扉本体部３１の内部に形成された収容空間３５内に収容され、実際に香り成分が放出される香り放出部４３が意匠部４０に形成されている。つまり、扉体１０は、香り成分の発生源である芳香剤５５の収容位置と、実際に香り成分が放出される位置とが異なる構成である。
【００２４】
そして、本実施形態に係る扉体１０によれば、香り成分の発生源である芳香剤５５が扉本体部３１内において外部から視認不能に収容されていることから、開閉扉３０の見栄えを損なうことがない。また、芳香剤５５からの香り成分が、誘導通路３７、香り取込口４２を経由して装飾材４４が収容された中空部４１の香り放出部４３から放出されることから、あたかも中空部４１内に収容された装飾材４４から直接的に香りが発せられているかのような印象を与えることができる。また、芳香剤５５が開閉扉３０内に収容されていることから、開閉扉３０の開閉動作によって香り成分が周囲に拡散し易くなるので、例えばトイレ等への入室時に香り成分をより効果的に拡散させることができる。
【００２５】
なお、本実施形態においては、開閉扉３０の上端側に意匠部４０を取り付ける形態としたが、意匠部４０の取付位置、大きさ、個数等は限定されない。例えば、意匠部４０を開閉扉３０の上下両端側に取り付ける形態や、開閉扉３０の上部側，中央部，下部側に取り付ける形態としてもよい。意匠部４０の個数や取付位置を変化させることにより、開閉扉３０の意匠性を向上させることができる。また、意匠部４０を複数設けた場合にあっては、単一の収容空間３５に連通する複数の誘導通路３７を形成して、香り成分を複数箇所から放出する構成としても良いし、意匠部４０の個数に対応して収容空間３５を形成し、各収容空間３５内に芳香剤５５をセットする構成としても良い。また、芳香剤５５の香り成分が空気よりも重く、下方側に向かって拡散するような場合には、意匠部４０の設置位置を扉本体部３１の上下方向の中心位置、具体的にはハンドル３４やラッチ３３Ｂが設けられている位置よりも上方側にすることが望ましい。
また、意匠部４０の構造としては、内部に中空部４１が形成され、扉本体部３１の内部に形成された収容空間３５と連通することにより、香り成分が外部へと放出，拡散される構成であればいかなるものであっても良い。
また、開閉扉３０の側面３２に、開口部３６を閉鎖可能なカバーを配設してもよい。このとき、側面３２と同系色のカバーを配設することにより、芳香剤５５の位置の特定を困難にすることができるとともに、開閉扉３０の意匠性をより向上することが可能となる。
【００２６】
図４は、他の実施形態に係る扉体１０´の開閉扉３０´の概略斜視図である。また、図５は、意匠部材６０の縦断面図である。本実施形態の開閉扉３０´は、開閉扉３０´に複数の意匠部材６０が配設される点で上記実施形態と異なる。なお、上記実施形態で説明した構成については、同一の符号を付し、その説明を省略する。
【００２７】
図４，図５に示すように、扉本体部３１には、複数の貫通口３９が開設される。貫通口３９は、意匠部材６０が嵌め込まれる正面視円形状の開口であって、扉本体部３１を奥行方向に貫通する。貫通口３９の直径は、意匠部材６０の直径と略同径に設定されており、意匠部材６０を嵌め込み可能である。
【００２８】
図５に示すように、意匠部材６０は、縦断面視略半球状の収容体であり、図示の例では１の貫通口３９内に、奥行き方向の正面及び背面から２つの意匠部材６０が嵌め込まれている。意匠部材６０は、上記実施形態に係る意匠部４０と同様に、透明度の高い材料により形成され、開閉扉３０´の正面又は背面から意匠部材６０の内部に収容された装飾材４４を視認可能である。
【００２９】
意匠部材６０は、断面椀形状に形成された本体部６２と、当該本体部６２に対して脱着可能に取り付けられた蓋体６３とを備える。図４に示すように、本体部６２の周面には内外に貫通する複数の香り放出穴６４が開設される。香り放出穴６４は、蓋体６３に取り付けられた芳香剤５５からの香り成分を意匠部材６０の外部に放出し、拡散させる。なお、香り放出穴６４の数、位置は図示のものに限定されるものではない。
【００３０】
蓋体６３は、本体部６２の最大径と略同径の円盤体であって、外周縁に沿って形成された嵌合部６３Ａが本体部６２の内周面と嵌合する。蓋体６３の内周面には、多孔質の袋体等に収容された芳香剤５５が図外の貼着手段によって貼着される。このように、意匠部材６０は、本体部６２及び蓋体６３により形成される中空部６０Ａを有しており、当該中空部６０Ａ内には、芳香剤５５と、当該芳香剤５５を視認不能とするように、造花等の装飾材４４が敷き詰められて収容される。
【００３１】
本実施形態に係る開閉扉３０´においても、香り成分の発生源である芳香剤５５が扉本体部３１の板厚内において外部から視認不能に収容されていることから、開閉扉３０の見栄えを損なうことがない。また、芳香剤５５が外部から視認不能に収容されていることから芳香剤５５からの香り成分が、あたかも中空部６０Ａ内に収容された装飾材４４から直接的に発せられているかのような印象を与えることができる。
なお、意匠部材６０は、扉本体部３１に対して取付可能なものであれば、その形状や大きさ、個数、或いは取付位置等は問わない。
【００３２】
次に、図６を参照して上記意匠部材６０の他の実施形態について説明する。本実施形態に係る意匠部材６０´は、扉本体部３１に螺入されている点で上記実施形態と異なる。同図に示すように、扉本体部３１の貫通口３９には、リング状のプレート７０が嵌挿される。プレート７０の内周面には、奥行き方向に延長するネジ部７０Ａが形成されており、当該ネジ部７０Ａを介して固定用治具７２が螺入される。
固定用治具７２は、断面Ｉ字状の円盤体であって、周縁部から奥行方向に立ち上がる板部７３の内外周面に上記ネジ部７０Ａと螺合するネジ部７３Ａと、意匠部材６０´に形成されたネジ部８０Ａと螺合するネジ部７３Ｂとが形成される。固定用治具７２をプレート７０内に螺入する際には、その位置が扉本体部３１の奥行方向の中間となるように設定するのが好ましく、当該位置に位置決めすることにより、１つの貫通口３９に対して複数の意匠部材６０´をバランス良く配置することができる。
【００３３】
本実施形態において、意匠部材６０´の本体部６２の周面には、プレート７０の直径に対して縮径して奥行方向に延長する段差としての螺入部８０が形成される。螺入部８０の外周面には、上記固定用治具７２に形成されたネジ部７３Ｂと螺合するネジ部８０Ａが形成されている。意匠部材６０´を固定用治具７２に固定するには、意匠部材６０´の蓋体６３が固定用治具７２に対して対向する状態で一方向に回転させ、蓋体６３の外周面が固定用治具７２の盤面に突き当たった状態とする。これにより、意匠部材６０´が貫通口３９内に強固に固定されることとなる。また、意匠部材６０´が貫通口３９に固定された状態において、意匠部材６０´の本体部６２の最大径は、貫通口３９よりも僅かに大径に設定されているため、意匠部材６０´と貫通口３９との固定状態を視認することが不可能とされている。
【００３４】
本実施形態に係る意匠部材６０´においても、香り成分の発生源である芳香剤５５が扉本体部３１の板厚内において外部から視認不能に収容されていることから、開閉扉３０の見栄えを損なうことがない。また、芳香剤５５が外部から視認不能に収容されていることから芳香剤５５からの香り成分が、あたかも中空部６０Ａ内に収容された装飾材４４から直接的に発せられているかのような印象を与えることができる。また、意匠部材６０´を貫通口３９内に強固に固定することができる。
【００３５】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
例えば、本実施形態においては、薬剤の一例として、芳香剤５５を例に説明したが、これに限定されない。薬剤としては、例えば、活性炭や竹炭等の消臭剤や脱臭剤、殺虫剤、防虫剤、或いは、除湿剤等であっても良く、扉本体部３１内厚み内に収容され、特定の機能を発揮する物質であればいかなるものであっても適用することができる。
また、本実施形態においては、扉本体部３１を奥行方向に移動させるタイプの扉体１０，１０´を前提として説明したが、例えば扉本体部３１を幅方向に移動させるような引き戸に対しても適用可能である。
【符号の説明】
【００３６】
１０，１０´  扉体、１１  構造物躯体、１２  開口部、２０  扉枠、
３０，３０´  開閉扉、３１  扉本体部、３５  収容空間、３６  開口部、
３７  誘導通路、４０  意匠部、４３  香り放出部、４４  装飾材、
５０  芳香剤収容ケース、５５  芳香剤、６０，６０´  意匠部材、
７０  プレート、７２  固定用治具。
【図１】
2016176189.tif 000003
【図２】
2016176189.tif 000004
【図３】
2016176189.tif 000005
【図４】
2016176189.tif 000006
【図５】
2016176189.tif 000007
【図６】
2016176189.tif 000008